(57)【要約】【課題】多挿入孔、多スイッチの延長線の提供。【解決手段】多挿入孔、多スイッチの延長線は、ハウジング、導電片、スイッチ、からなる。ハウジングは少なくとも一つの挿入孔と少なくとも一つのスイッチを有し、スイッチは挿入孔の一側に対応し、挿入孔の電源の切り換えを提供する。導電片は、第一、第二、第三導電片、及び、中性線導電片と地線導電片に分けられる。スイッチは、それぞれ、第一、第二、第三導電片を接続する。上述の構成により、大量の電線によりスイッチを連接し、人力と時間を費やす欠点を改善し、導電片を直接スイッチに固定することにより、製品の歩留まりを向上させ、安全性と組み立てが便利な延長線を構成することができる。【選択図】図５
0003137358.tif 000002
【実用新案登録請求の範囲】
【請求項１】
多挿入孔、多スイッチの延長線であって、ハウジング、導電片、スイッチ、からなり、
前記ハウジングは少なくとも一つの挿入孔と少なくとも一つのスイッチを有し、前記スイッチは挿入孔の一側に対応し、挿入孔の電源の切り換えを提供し、
前記導電片は、第一、第二、第三導電片、及び、中性線導電片と地線導電片に分けられ、
前記スイッチは、それぞれ、前記第一、第二、第三導電片を接続することを特徴とする多挿入孔、多スイッチの延長線。
【請求項２】
前記スイッチは三個の接点を有し、その接点は位置の違いにより第一、第二、第三接点に分けられることを特徴とする請求項１に記載の多挿入孔、多スイッチの延長線。
【請求項３】
前記第一導電片と第三導電片は相同の構造で、長方形の金属片であり、長方形の金属片は等距離の定位孔を有し、長方形の金属片上は挟片を湾折することを特徴とする請求項１に記載の多挿入孔、多スイッチの延長線。
【請求項４】
前記定位孔は、前記第一導電片と第三導電片を定位固定するもので、末端の定位孔により電源線を連接することを特徴とする請求項３に記載の多挿入孔、多スイッチの延長線。
【請求項５】
前記第一導電片は挟片を有し、前記挟片により前記スイッチの第一接点に固定することを特徴とする請求項１、或いは、２に記載の多挿入孔、多スイッチの延長線。
【請求項６】
前記第三導電片は挟片を有し、前記挟片により前記スイッチの第三接点に固定することを特徴とする請求項１、或いは、２に記載の多挿入孔、多スイッチの延長線。
【請求項７】
前記第二導電片一端は唇片を有し、もう一端に挟片を有し、前記挟片により前記スイッチの第二接点に固接することを特徴とする請求項１、或いは、２に記載の多挿入孔、多スイッチの延長線。
【請求項８】
前記中性線導電片は複数の錘状片を有し、前記錘状片は前記第二導電片の唇片に相隣し、前記錘状片、及び、前記第二導電片の唇片開口は挿入孔に対応し、挿入挟合することを特徴とする請求項１に記載の多挿入孔、多スイッチの延長線。
【請求項９】
前記第一導電片と中性線導電片の一端は、電線により連接され、前記第一導電片は中性線で、前記中性導電片が前記第一導電片により中性線電源線を連接することを特徴とする請求項１に記載の多挿入孔、多スイッチの延長線。
【考案の詳細な説明】
【技術分野】
【０００１】
本考案は多挿入孔、多スイッチの延長線に関し、特に、製造の複雑度が低下し、安全で便利な組み立ての延長線に関するものである。
【背景技術】
【０００２】
一般の延長線は、複数の挿入孔を有する同一の延長線にプラグを挿入して、多くの電気製品のコンセントが使用できる。また、挿入孔横にスイッチを有し、各挿入孔の電源を制御することができる。
【０００３】
このような複数のスイッチと挿入孔を有する延長線構造は使用上便利であるが、大量の電線によりスイッチとソケットを連接するので、時間も人力も費やし、製造コストが高く、生産の歩留まりに影響する。
【考案の開示】
【考案が解決しようとする課題】
【０００４】
本考案の目的は、上述の問題を解決する多挿入孔、多スイッチの延長線を提供することである。
【課題を解決するための手段】
【０００５】
上述の目的を達成するため、本考案の延長線は、ハウジング、導電片、スイッチ、からなる。ハウジングは少なくとも一つの挿入孔と少なくとも一つのスイッチを有し、スイッチは挿入孔の一側に対応し、挿入孔の電源の切り換えを提供する。導電片は、第一、第二、第三導電片、及び、中性線導電片と地線導電片に分けられる。スイッチは、それぞれ、第一、第二、第三導電片を接続する。
【０００６】
本考案の延長線は、第一導電片と第三導電片が相同の構造で、長方形の金属片であり、長方形の金属片は等距離の定位孔を有し、長方形の金属片上は挟片を湾折する。
【考案の効果】
【０００７】
本考案により、人力と時間を費やす欠点を改善し、導電片を直接スイッチに固定することにより、製品の歩留まりを向上させ、安全性と組み立てが便利である。
【考案を実施するための最良の形態】
【０００８】
図１、及び、図２は、本考案の多挿入孔、多スイッチの延長線を示す図で、ハウジング１０、導電片、スイッチ３０、からなる。ハウジング１０は少なくとも一つの挿入孔１１と少なくとも一つのスイッチ３０を有し、スイッチ３０は挿入孔１１の一側に対応し、挿入孔１１の電源の切り換えを提供する。導電片は、第一、第二、第三導電片２１、２２、２３、及び、中性線導電片２４と地線導電片２５に分けられる。スイッチ３０は、それぞれ、第一、第二、第三導電片２１、２２、２３を接続する。
スイッチ３０は三個の接点を有し、その接点は位置の違いにより第一、第二、第三接点３１、３２、３３に分けられる。
【０００９】
図３は本考案の第一導電片と第三導電片の立体図である。第一導電片２１と第三導電片２３は相同の構造で、長方形の金属片であり、長方形の金属片は等距離の定位孔２０１を有し、長方形の金属片上は挟片２２２を湾折する。第一導電片２１は挟片２２２を設置し、挟片２２２によりスイッチ３０の第一接点３１に固定する。第三導電片２３は挟片２２２を設置し、挟片２２２によりスイッチの第三接点３３に固定する。
【００１０】
更に、定位孔２０１は第一導電片２１と第三導電片２３を定位固定するもので、末端の定位孔により電源線を連接する。
【００１１】
図４は本考案の第二導電片の立体拡大図であり、第二導電片２２一端は唇片２２１を有し、もう一端に挟片２２２を有し、挟片２２２によりスイッチ３０の第二接点３２に固接する。
【００１２】
図５は本考案の導電片の組み合わせ立体拡大図である。中性線導電片２４は数個の錘状片２２３を有し、錘状片２２３は第二導電片２２の唇片２２１に相隣し、錘状片２２３、及び、第二導電片２２の唇片２２１開口は挿入孔１１に対応し、挿入挟合する。第一導電片２１と中性線導電片２４の一端は、電線により連接され、第一導電片２１は中性線で、中性導電片２４が第一導電片２１により中性線電源線を連接する。
【図面の簡単な説明】
【００１３】
【図１】本考案の組み合わせ立体図である。
【図２】本考案の構造分解図である。
【図３】本考案の第一、第三導電片の立体図である。
【図４】本考案の第二導電片の立体拡大図である。
【図５】本考案の中性線導電片の立体拡大図である。
【符号の説明】
【００１４】
１０  ハウジング
１１  挿入孔
２０１  定位孔
２１  第一導電片
２２  第二導電片
２２１  唇片
２２２  挟片
２２３  錘状片
２３  第三導電片
２４  中性線導電片
２５  地線導電片
３０  スイッチ
３１  第一接点
３２  第二接点
３３  第三接点        
【図１】
0003137358.tif 000003
【図２】
0003137358.tif 000004
【図３】
0003137358.tif 000005
【図４】
0003137358.tif 000006
【図５】
0003137358.tif 000007